(57)【要約】【課題】開閉可能であって、かつ取り外し可能である前面扉と筐体との間のアース接続を容易にし得る遊技機を提供することを目的とする。【解決手段】電子機器を収容する箱型の筐体２０と、筐体２０に対してヒンジを介して回動可能に支持され、筐体の前面部に設けられた開口を開閉する前面扉３０と、前面扉のヒンジによる回動支点側の縁部に沿って扉側に設けられたヒンジの扉側支持部３５１と、筐体のヒンジによる回動支点側の縁部に沿って筐体側に設けられたヒンジの筐体側支持部３２１とが、前面扉が閉じられた状態において近接する位置に設けられ、前面扉が閉じられた状態でヒンジの扉側支持部と筐体側支持部とを電気的に接続するシールドフィンガー４００と、を備え、前面扉には、電子機器の少なくとも一部が設けられており、前面扉は、シールドフィンガー及び筐体を介して接地されている構成とする。【選択図】図１
2010005076.tif 000002
【特許請求の範囲】
【請求項１】
複数の図柄を表示する図柄表示手段と、
前記図柄表示手段により表示されている複数の図柄を変動させる図柄変動手段と、
前記図柄の変動の停止制御を行う停止制御手段と、
前記図柄表示手段、前記図柄変動手段及び前記停止制御手段を収容する箱型の筐体と、
前記筐体に対してヒンジを介して回動可能に支持され、前記筐体の前面部に設けられた開口を開閉する前面扉と、
前記前面扉の前記ヒンジによる回動支点側の縁部に沿って前記扉側に設けられた前記ヒンジの扉側支持部と、前記筐体の前記ヒンジによる回動支点側の縁部に沿って前記筐体側に設けられた前記ヒンジの筐体側支持部とが、前記前面扉が閉じられた状態において近接する位置に設けられ、前記前面扉が閉じられた状態で前記ヒンジの扉側支持部と筐体側支持部とを電気的に接続するシールドフィンガーと、を備え、
前記前面扉には、前記図柄表示手段、前記図柄変動手段及び前記停止制御手段を構成する電子機器の少なくとも一部が設けられており、前記前面扉は、前記シールドフィンガー及び前記筐体を介して接地されていることを特徴とする遊技機。
【請求項２】
前記シールドフィンガーは、前記ヒンジの扉側支持部に設けられていることを特徴とする請求項１に記載の遊技機。
【請求項３】
前記シールドフィンガーは、前記前面扉の前記縁部の全体に沿って設けられていることを特徴とする請求項２に記載の遊技機。
【請求項４】
前記シールドフィンガーは、前記ヒンジによる回動自由端側の縁部に設けられていることを特徴とする請求項３に記載の遊技機。
【請求項５】
前記シールドフィンガーに接する前記ヒンジの筐体側支持部の表面は、前記シールドフィンガーの表面を研磨する粗面を有することを特徴とする請求項２に記載の遊技機。
【発明の詳細な説明】
【技術分野】
【０００１】
本発明は、パチスロ等の遊技機に関する。
【背景技術】
【０００２】
従来、複数の図柄がそれぞれの表面に配された複数のリールと、遊技メダルやコイン等（以下、メダル等）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチ及びストップスイッチにより出力された信号に基づいて、ステッピングモータの動作を制御し、各リールの回転及びその停止を行うリール制御部と、を備え、スタートレバーが操作されたことを検出すると、乱数値に基づいて抽籤を行い、この抽籤の結果（以下、「内部当籤役」という）とストップボタンが操作されたことを検出したタイミングとに基づいてリールの回転の停止を行う、パチスロと呼ばれる遊技機が知られている。
【０００３】
このような遊技機では、筐体の前面に設けられた開口を前面扉が開閉するようになっている。この前面扉と筐体との間には、圧着端子付のアース線を各々ねじ止めすることにより、該アース線により前面扉の静電気を筐体側に逃がすようになされている。
【０００４】
また、従来の遊技機では、電気的なノイズの対策として、ホッパーにおいて発生する電気的ノイズを放電するための構造を筐体に有するもの（特許文献１参照）、アース線の接続構造に関するもの（特許文献２参照）、筐体の外部アース構造に関するもの（特許文献３参照）、遊技者に帯電した静電気を除去するためのもの（特許文献４参照）が考えられている。
【０００５】
また、電子機器の筐体においてシールド効果や静電気対策を施したものとして、電気機器の筐体に収納される複数の電気機器ユニット間をシールドフィンガーにより電気的に接続したもの（特許文献５参照）、電子機器に装着する記憶媒体の静電気対策に関するもの（特許文献６参照）、電気機器収納用箱の扉と箱との間にシールドフィンガーを設けたもの（特許文献７参照）が考えられている。
【０００６】
また、大重量の自動ドアにシールドフィンガーを設けて電磁シールドを可能としたもの（特許文献８参照）が考えられている。
【特許文献１】特開２００３−２６０１７９号公報
【特許文献２】特開２００５−７３８６２号公報
【特許文献３】特開２００４−２８３２０２号公報
【特許文献４】特開２００６−７５５１７号公報
【特許文献５】特開２００２−７６６５６号公報
【特許文献６】特開２００１−１７６２４号公報
【特許文献７】特開平１１−２９８１６４号公報
【特許文献８】特開２００６−１７７０４２号公報
【発明の開示】
【発明が解決しようとする課題】
【０００７】
しかしながら、前面扉と筐体との間にアース線をねじ止めした前述の遊技機においては、前面扉を取り外す場合には、アース線のねじを外した後に前面扉の取り外し作業を行う必要があり、容易に前面扉を取り外すことが困難であった。
【０００８】
この点に関して、従来の遊技機においては、電気的なノイズの対策を考慮したものが考えられているが（特許文献１乃至特許文献４）、いずれも前面扉を筐体から取り外す場合を考慮したものではない。
【０００９】
また、シールドフィンガーにより電磁ノイズ対策を施した電気機器や自動ドアが考えられているが（特許文献５乃至特許文献８）、これらは、いずれも開閉可能であって、かつ取り外し可能な扉と筐体との間の電気的なノイズの対策を考慮したものではなかった。
【００１０】
そこで、本発明は、開閉可能であって、かつ取り外し可能である前面扉と筐体との間のアース接続を容易にし得る遊技機を提供することを目的とする。
【課題を解決するための手段】
【００１１】
本発明は、以下のような遊技機を提供する。
【００１２】
請求項１に記載の遊技機は、複数の図柄を表示する図柄表示手段と、前記図柄表示手段により表示されている複数の図柄を変動させる図柄変動手段と、前記図柄の変動の停止制御を行う停止制御手段と、前記図柄表示手段、前記図柄変動手段及び前記停止制御手段を収容する箱型の筐体と、前記筐体に対してヒンジを介して回動可能に支持され、前記筐体の前面部に設けられた開口を開閉する前面扉と、前記前面扉の前記ヒンジによる回動支点側の縁部に沿って前記扉側に設けられた前記ヒンジの扉側支持部と、前記筐体の前記ヒンジによる回動支点側の縁部に沿って前記筐体側に設けられた前記ヒンジの筐体側支持部とが、前記前面扉が閉じられた状態において近接する位置に設けられ、前記前面扉が閉じられた状態で前記ヒンジの扉側支持部と筐体側支持部とを電気的に接続するシールドフィンガーと、を備え、前記前面扉には、前記図柄表示手段、前記図柄変動手段及び前記停止制御手段を構成する電子機器の少なくとも一部が設けられており、前記前面扉は、前記シールドフィンガー及び前記筐体を介して接地されていることを特徴としている。
【００１３】
この遊技機によれば、筐体と前面扉との間をシールドフィンガーによって電気的に接続するように構成されていることにより、筐体から前面扉を取り外す際に、従来のように、筐体と前面扉とをアース線でねじ止めした構成に比べて、アース線を外すといった煩雑な作業を行うことなく容易に前面扉の取り外し作業を行うことができる。
【００１４】
請求項２に記載の遊技機は、前記構成に加えて、前記シールドフィンガーは、前記ヒンジの扉側支持部に設けられていることを特徴としている。
【００１５】
この遊技機によれば、ヒンジの扉側支持部にシールドフィンガーが設けられていることにより、筐体側に取り付けられている場合に比べて、シールドフィンガーの取り付け作業が容易になる。
【００１６】
請求項３に記載の遊技機は、前記構成に加えて、前記シールドフィンガーは、前記前面扉の前記縁部の全体に沿って設けられていることを特徴としている。
【００１７】
この遊技機によれば、前面扉のヒンジによる回動支点側の縁部に全体に沿ってシールドフィンガーが設けられていることにより、前面扉を閉じた状態においては、前面扉の前記縁部と、これに対向する筐体側の縁部との間には、縁部全体に亘ってシールドフィンガーが配置されることとなり、十分なアース効果を得ることができると共に、前面扉側の該縁部と、筐体側の該縁部との間に隙間が形成されることを防止して、例えば針金等を隙間に挿入することによる不正を未然に防止することができる。
【００１８】
請求項４に記載の遊技機は、前記構成に加えて、前記シールドフィンガーは、前記ヒンジによる回動自由端側の縁部に設けられていることを特徴としている。
【００１９】
この遊技機によれば、回動支点側の縁部に加えて、回動自由端側の縁部にもシールドフィンガーを設けることにより、さらなるアース効果を得ることができると共に、回動自由端側からの針金等の挿入による不正を未然に防止することができる。
【００２０】
請求項５に記載の遊技機は、前記構成に加えて、前記シールドフィンガーに接する前記ヒンジの筐体側支持部の表面は、前記シールドフィンガーの表面を研磨する粗面を有することを特徴としている。
【００２１】
この遊技機によれば、シールドフィンガーが接する筐体側支持部の表面が粗面となっていることにより、前面扉を開閉するごとにシールドフィンガーの表面（導電部分）が研磨されて、該表面の酸化によるアース効果の低下を防止することができる。これにより、前面扉と筐体との間において、常に安定したアース効果を得ることができる。
【発明の効果】
【００２２】
本発明によれば、筐体と前面扉との間をシールドフィンガーによって電気的に接続するように構成したことにより、筐体から前面扉を取り外す作業を一段と容易にし得る遊技機を提供することができる。
【発明を実施するための最良の形態】
【００２３】
本発明の遊技機に係る実施の形態について、以下図面を参照しながら説明する。はじめに、図１を参照して、本実施の形態における遊技機（以下、パチスロ）の機能フローについて説明する。
【００２４】
遊技者によりメダルが投入され、スタートレバーが操作されると、予め定められた数値の範囲（例えば、０〜６５５３５）の乱数から１つの値（以下、乱数値）が抽出される。
【００２５】
内部抽籤手段は、抽出された乱数値に基づいて抽籤を行い、内部当籤役を決定する。内部当籤役の決定により、後述の入賞判定ラインに沿って表示を行うことを許可する図柄の組合せが決定される。尚、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００２６】
続いて、複数のリールの回転が行われた後で、遊技者によりストップボタンが押されると、リール停止制御手段は、内部当籤役とストップボタンが押されたタイミングとに基づいて、該当するリールの回転を停止する制御を行う。
【００２７】
ここで、パチスロでは、基本的に、ストップボタンが押されたときから規定時間（１９０ｍｓｅｃ）内に、該当するリールの回転を停止する制御が行われる。本実施の形態では、上記規定時間内でのリールの回転に伴って移動する図柄の数を「滑り駒数」と呼び、その最大数を図柄４個分に定める。
【００２８】
リール停止制御手段は、入賞に係る図柄の組合せの表示を許可する内部当籤役が決定されているときでは、上記規定時間を利用して、その図柄の組合せが入賞判定ラインに沿って極力表示されるようにリールの回転を停止する。その一方で、内部当籤役によってその表示が許可されていない図柄の組合せについては、上記規定時間を利用して、入賞判定ラインに沿って表示されることがないようにリールの回転を停止する。
【００２９】
こうして、複数のリールの回転がすべて停止されると、入賞判定手段は、入賞判定ラインに沿って表示された図柄の組合せが、入賞に係るものであるか否かの判定を行う。入賞に係るものであるとの判定が行われると、メダルの払い出し等の特典が遊技者に与えられる。以上のような一連の流れがパチスロにおける１回の遊技として行われる。
【００３０】
また、パチスロでは、前述した一連の流れの中で、液晶表示装置により行う映像の表示、各種ランプにより行う光の出力、スピーカにより行う音の出力、或いはこれらの組合せを利用して様々な演出が行われる。
【００３１】
遊技者によりスタートレバーが操作されると、前述の内部当籤役の決定に用いられた乱数値とは別に、演出用の乱数値（以下、演出用乱数値）が抽出される。演出用乱数値が抽出されると、演出内容決定手段は、内部当籤役に対応づけられた複数種類の演出内容の中から今回実行するものを抽籤により決定する。
【００３２】
演出内容が決定されると、演出実行手段は、リールの回転が開始されるとき、各リールの回転がそれぞれ停止されるとき、入賞の有無の判定が行われたとき等の各契機に連動させて演出の実行を進める。このように、パチスロでは、内部当籤役に対応づけられた演出内容を実行することによって、決定された内部当籤役（言い換えると、狙うべき図柄の組合せ）を知る或いは予想する機会が遊技者に提供され、遊技者の興味の向上が図られる。
【００３３】
本実施の形態におけるパチスロにおいては、以上の構成に加えて、前面扉と筐体との間にシールドフィンガーを設けて、前面扉と筐体との間を電気的に接続することにより、シールドフィンガー４００及び筐体を介して前面扉を接地するように構成されている。特に、前面扉には、遊技者が触れるスタートレバーやストップボタンが設けられており、シールドフィンガー４００は、これらスタートレバーやストップボタンを含めた前面扉を、筐体を介して接地するようになされている。これにより、遊技者に帯電した静電気を、前面扉（スタートボタン、ストップボタン）、シールドフィンガー４００及び筐体を介して接地端へ逃がすことができる。
【００３４】
すなわち、筐体側のみを接地している場合に比べて、遊技者に帯電した静電気を有効に除去することができる。これにより、主制御回路等が静電気により誤動作することを未然に防止することができる。
【００３５】
また、前面扉と筐体間をシールドフィンガーによって電気的に接続するようにしたことにより、例えば従来のようにアース線をねじ止めする構成に比べて、前面扉の取り外し作業を容易にすることが可能となる。特に、前面扉に種々の電子部品が搭載されたパチスロにおいては、前面扉の重量が大きいことにより、着脱を容易にする必要性が高く、アース線をねじ止めする構成に代えて、シールドフィンガーを設けることにより、前面扉の取り扱いが容易になる。
【００３６】
［パチスロの構造］
パチスロの機能フローについての説明は以上である。次に、図２及び図３を参照して、本実施の形態におけるパチスロの構造について説明する。
＜パチスロの外部構造＞
【００３７】
図２は、本実施の形態におけるパチスロ１０の外部構造を示す。
【００３８】
（リールと表示窓）
パチスロ１０は、リール（左リール１２０Ｌ、中リール１２０Ｃ、右リール１２０Ｒ）や回路基板等を収容するキャビネット（筐体）２０と、キャビネット２０に対して開閉可能に取り付けられるフロントドア（前面扉）３０とを備える。キャビネット２０の内部には、３つのリール１２０Ｌ、１２０Ｃ、１２０Ｒが横並びに設けられている。各リールは、円筒状のフレームの周面に、複数の図柄（例えば２１個）が回転方向に沿って連続的に配された帯状のシートを貼り付けて構成されている。なお、本実施の形態においては、各リールは、フロントドア３０側に設けられているものとするが、キャビネット２０側に設けられている構成としてもよい。
【００３９】
フロントドア３０の中央には、図柄表示手段及び画像表示手段である液晶表示装置２１０が設けられている。液晶表示装置２１０は、図柄表示領域を含む表示画面を備え、正面から見て３つのリール１２０Ｌ、１２０Ｃ、１２０Ｒに重畳する手前側に位置するように設けられている。図柄表示領域は、３つのリールのそれぞれに対応して設けられており、その背後に設けられたリール１２０Ｌ、１２０Ｃ、１２０Ｒを透過することが可能な構成を備えている。
【００４０】
つまり、図柄表示領域は、表示窓としての機能を果たすものであり、その背後に設けられたリール１２０Ｌ、１２０Ｃ、１２０Ｒの回転及びその停止の動作が遊技者側から視認可能となる。また、本実施の形態では、図柄表示領域を含めた表示画面の全体を使って、映像の表示が行われ、遊技に関連した演出が実行される。また、本実施の形態においては、表示画面において特定のタイミングであるイベント演出タイミングにおいて特定画像であるイベント演出画像が表示される。
【００４１】
図柄表示領域（以下、表示窓）は、その背後に設けられたリール１２０Ｌ、１２０Ｃ、１２０Ｒの回転が停止されたとき、リール１２０Ｌ、１２０Ｃ、１２０Ｒの表面に配された複数種類の図柄のうち、その枠内における上段、中段及び下段の各領域にそれぞれ１個の図柄（合計で３個）を表示する。また、各表示窓が有する上段、中段及び下段からなる３つの領域のうち予め定められた何れかをそれぞれ組合せてなる擬似的なラインを、入賞か否かの判定を行う対象となるライン（入賞判定ライン）として定義する。
【００４２】
本実施の形態では、各表示窓の上段を組合せてなるトップライン１２６ａ、各表示窓の中段を組合せてなるセンターライン１２６ｂ、各表示窓の下段を組合せてなるボトムライン１２６ｃ、左表示窓の上段、中表示窓の中段及び右表示窓の下段を組合せてなるクロスダウンライン１２６ｄ、左表示窓の下段、中表示窓の中段及び右表示窓の上段を組合せてなるクロスアップライン１２６ｅの５つを入賞判定ラインとして設けている。
【００４３】
（操作装置）
フロントドア３０には、遊技者による操作の対象となる各種装置が設けられている。メダル投入口４０は、遊技者によって外部から投下されるメダルを受け入れるために設けられる。メダル投入口４０に受け入れられたメダルは、所定枚数（例えば３枚）を上限として１回の遊技に投入されることとなり、所定枚数を超えた分はパチスロ１０の内部に預けることが可能となる（いわゆるクレジット機能）。
【００４４】
ベットボタン１３２は、パチスロ１０の内部に預けられているメダルから１回の遊技に投入する枚数を決定するために設けられる。精算ボタン１３４は、パチスロ１０の内部に預けられているメダルを外部に引き出すために設けられる。
【００４５】
スタートレバー１１０は、全てのリール１２０Ｌ、１２０Ｃ、１２０Ｒの回転を開始するために設けられる。ストップボタン（左ストップボタン１１２Ｌ、中ストップボタン１１２Ｃ、右ストップボタン１１２Ｒ）は、３つのリール１２０Ｌ、１２０Ｃ、１２０Ｒのそれぞれに対応づけられ、対応するリールの回転を停止するために設けられる。
【００４６】
（その他装置）
７セグ表示器１１４は、７セグメントＬＥＤからなり、今回の遊技に投入されたメダルの枚数（以下、投入枚数）、特典として遊技者に対して払い出すメダルの枚数（以下、払出枚数）、パチスロ１０の内部に預けられているメダルの枚数（以下、クレジット枚数）等の情報を遊技者に対してデジタル表示する。
【００４７】
ランプ（ＬＥＤ等）２１２は、演出内容に応じた点消灯のパターンにて光を出力する。スピーカ２１４は、演出内容に応じた効果音や楽曲等の音を出力する。メダル払出口４２は、後述のメダル払出装置の駆動により排出されるメダルを外部に導く。メダル払出口４２から排出されたメダルは、メダル受皿４４に貯められる。
＜パチスロの内部構造＞
【００４８】
図３は、本実施の形態におけるパチスロ１０の内部構造を示す。図３では、フロントドア３０が取り外され、フロントドア３０の裏面側の構造及びキャビネット２０の内部の構造が現れた状態が示されている。
【００４９】
キャビネット２０は、前面に開口部を有する箱型の筐体であり、開口部の左側縁部２０Ａには、その上部及び下部に筐体側ヒンジ３０１及び３１１が設けられている。この筐体側ヒンジ３０１及び３１１は、平板部３０２及び３１２を介して連結平板３２１によって結合されており、全体としてキャビネット２０の内側面部に固定されている。この筐体側ヒンジ３０１、３１１の平板部３０２、３１２及び連結平板３２１によってヒンジの筐体側支持部が構成される。なお、平板部３０２、３１２及び連結平板３２１は、金属材料によって形成されている。
【００５０】
連結平板３２１は、キャビネット２０の左側縁部２０Ａに沿って設けられており、段差部３２２を有する。
【００５１】
一方、フロントドア３０は、キャビネット３０の開口部を開閉する前面扉を構成しており、キャビネット３０の筐体側ヒンジ３０１、３１１が設けられた左側縁部２０Ａに対応する左側縁部３０Ａの上部及び下部に扉側ヒンジ３３１及び３４１が設けられている。因みに、本実施の形態の説明において、左側とは、フロントドア３０の正面から見て左側を意味するものとする。この扉側ヒンジ３３１及び３４１は、平板部３３２及び３４２を介して連結平板３５１によって結合されており、全体としてフロントドア３０の裏面部に固定されている。この扉側ヒンジ３３１、３４１の平板部３３２、３４２及び連結平板３５１によってヒンジの扉側支持部が構成される。なお、平板部３３２、３４２及び連結平板３５１は、金属材料によって形成されている。
【００５２】
キャビネット２０において、上側に設けられた筐体側ヒンジ３０１には、下方に突出した凸部３０５が設けられており、また、下側に設けられた筐体側ヒンジ３１１には、その上面部に凹部３１５が形成されている。
【００５３】
また、フロントドア３０において、上側に設けられた扉側ヒンジ３３１には、フロントドア３０の裏面側に開放された凹部３３５が形成されており、下側に設けられた扉側ヒンジ３４１には、下方に突出する凸部３４５が設けられている。
【００５４】
これにより、扉側ヒンジ３４１の凸部３４５を筐体側ヒンジ３１１の凹部３１５に挿入し、筐体側ヒンジ３０１の凸部３０５を扉側ヒンジ３３１の凹部３３５に挿入することにより、フロントドア３０をキャビネット２０に取り付けることができる。この状態において、フロントドア３０は、ヒンジ（筐体側ヒンジ３０１、３１１、扉側ヒンジ３３１、３４１）を介して、回動可能に軸支される。このようにフロントドア３０がキャビネット２０に軸支された状態において、フロントドア３０を回動させることにより、該フロントドア３０によって、キャビネット２０の開口部を閉じた状態、又は開いた状態とすることができる。回動支点（回動軸）は、キャビネット２０の左側縁部２０Ａ側となり、フロントドア３０において、この回動支点側の側縁部３０Ａとは反対側の回動自由端となる側縁部３０Ｂを、キャビネット２０の右側縁部２０Ｂに当接させた状態において、フロントドア３０に設けられたフック３６１をキャビネット２０側の突起部（図示せず）に係合させることにより、フロントドア３０が閉じた状態でロックすることができる。
【００５５】
因みに、扉側ヒンジ３３１には、回動軸３３８を回動軸として回動するロック板３３７が設けられており、扉側ヒンジ３３１の凹部３３５に挿入された筐体側ヒンジ３０１の凸部３０５をロックするようになされている。
【００５６】
扉側ヒンジ３３１及び３４１を連結する連結平板３５１には、その側縁部（フロントドア３０の左側縁部３０Ａに沿う側縁部）に金属材料で形成されたシールドフィンガー４００が固定されている。このシールドフィンガー４００は、図４（ａ）に示すように、フロントドア３０が開いた状態においては、キャビネット２０側から離間した状態となるのに対して、図４（ｂ）に示すように、フロンドドア３０が閉じられた状態において、キャビネット２０側の連結平板３２１の段差部３２２に当接するようになっている。これにより、フロントドア３０を閉じた状態においては、扉側ヒンジ３３１、３４１の扉側支持部（連結平板３５１）と、筐体側ヒンジ３０１、３１１の筐体側支持部（連結平板３２１）とが電気的に接続された状態となる。
筐体側ヒンジ３０１、３１１の筐体側支持部（連結平板３２１）は、アース手段（図示せず）を介して接地されている。これにより、フロントドア３０を閉じた状態においては、フロントドア３０はシールドフィンガー４００及びキャビネット２０を介して接地されることになる。なお、筐体側ヒンジ３０１、３１１の筐体側支持部（連結平板３２１）は、キャビネット２０を介してアース手段に接続される構成、キャビネット２０の構成部品を介してアース手段に接続される構成、又は直接アース手段に接続される構成のいずれかの構成とすることができる。
【００５７】
フロントドア３０がアース接続されることにより、遊技者に帯電した静電気は、該遊技者がスタートレバー１１０やストップボタン１１２Ｌ、１１２Ｃ、１１２に触れることで、フロントドア３０、シールドフィンガー４００及びキャビネット２０を介して接地端へ逃げることになる。このように、フロントドア３０からキャビネット２０へと効率良く静電気を逃がすことにより、フロントドア３０に設けられた主制御回路５０や副制御回路８０といった電子機器を静電気から守ることが可能となる。
【００５８】
なお、本実施の形態においては、段差部３２２にシールドフィンガー４００の表面を研磨する粗面３２３を有している。この粗面３２３は、フロントドア３０を閉じた際に、シールドフィンガー４００の表面に接触して、該表面を研磨するようになっている。これにより、シールドフィンガー４００の表面は、フロントドア３０の開閉時に研磨されて酸化膜が除去され、常に良好な接触状態を得ることができる。
【００５９】
また、フロントドア３０の内部の上方には、主制御回路５０を構成する基板（以下、主基板）及び副制御回路８０を構成する基板（以下、副基板）が設けられている。主制御回路５０は、内部当籤役の決定、リールの回転及び停止、入賞の有無の判定といった、パチスロ１０における遊技の主な流れを制御する回路である。主制御回路５０の具体的な構成は後述する。また、副制御回路８０は、映像の表示等による演出の実行を制御する回路である。副制御回路８０の具体的な構成は後述する。
【００６０】
フロントドア３０の内部の中央には、３つのリール１２０Ｌ、１２０Ｃ、１２０Ｒが設けられている。各リールのそれぞれには、所定の減速比をもったギアを介してステッピングモータが接続されている。
【００６１】
キャビネット２０の内部の下方には、多量のメダルを収容可能で、それらを１枚ずつ排出可能な構造を有するメダル払出装置（以下、ホッパー）１５０が設けられている。ホッパー１５０の左側には、パチスロ１０が有する各装置に対して必要な電力を供給するための電源装置（図示せず）が設けられている。
【００６２】
フロントドア３０の裏側の中央、表示窓の下方には、セレクタ（図示せず）が設けられている。セレクタは、材質や形状等が適正であるメダルか否かを選別する装置であり、メダル投入口４０（図２）に受け入れられた適正なメダルをホッパー１５０へ案内する。尚、セレクタ内においてメダルが通過する経路上には、後述のメダルセンサが設けられており、適正なメダルが通過したことを検出する。
【００６３】
以上説明したように、シールドフィンガー４００を用いる構成においては、フロントドア３０及びキャビネット２０の間にアース線がねじ止めされてない。これにより、キャビネット２０からフロントドア３０を取り外す場合において、アース線を外すといった煩雑な作業を行うことなく容易に取り外し作業を行うことができる。
【００６４】
［パチスロが備える回路の構成］
パチスロの構造についての説明は以上である。次に、図５及び図６を参照して、本実施の形態におけるパチスロ１０が備える回路の構成について説明する。本実施の形態におけるパチスロ１０は、主制御回路５０、副制御回路８０及びこれらと電気的に接続する周辺装置（アクチュエータ）を備える。
【００６５】
＜主制御回路＞
図５は、本実施の形態におけるパチスロ１０の主制御回路５０の構成を示す。
【００６６】
（マイクロコンピュータ）
主制御回路５０は、回路基板上に設置されたマイクロコンピュータ６０を主たる構成要素としている。マイクロコンピュータ６０は、ＣＰＵ（以下、メインＣＰＵ）６１、ＲＯＭ（以下、メインＲＯＭ）６２及びＲＡＭ（以下、メインＲＡＭ）６３により構成される。
【００６７】
メインＲＯＭ６２には、メインＣＰＵ６１により実行される制御プログラム、内部抽籤テーブル等のデータテーブル、副制御回路８０に対して各種制御指令（コマンド）を送信するためのデータ等が記憶されている。メインＲＡＭ６３には、制御プログラムの実行により決定された内部当籤役等の各種データを格納する格納領域が設けられる。
【００６８】
（乱数発生器等）
メインＣＰＵ６１には、クロックパルス発生回路５２、分周器５３、乱数発生器５４及びサンプリング回路５５が接続されている。クロックパルス発生回路５２及び分周器５３は、クロックパルスを発生する。メインＣＰＵ６１は、発生されたクロックパルスに基づいて、制御プログラムを実行する。乱数発生器５４は、予め定められた範囲の乱数（例えば、０〜６５５３５）を発生する。サンプリング回路５５は、発生された乱数の中から１つの値を抽出する。
【００６９】
（スイッチ等）
マイクロコンピュータ６０の入力ポートには、スイッチ等が接続されている。メインＣＰＵ６１は、スイッチ等の入力を受けて、ステッピングモータ７１Ｌ、７１Ｃ、７１Ｒ等の周辺装置の動作を制御する。停止操作検出手段であるストップスイッチ１１２Ｓは、３つのストップボタン１１２Ｌ、１１２Ｃ、１１２Ｒのそれぞれが遊技者により押されたこと（停止操作）を検出する。また、開始操作検出手段であるスタートスイッチ１１０Ｓは、スタートレバー１１０が遊技者により操作されたこと（開始操作）を検出する。
【００７０】
メダルセンサ４０Ｓは、メダル投入口４０に受け入れられたメダルが前述のセレクタ３１内を通過したことを検出する。また、ベットスイッチ１３２Ｓは、ベットボタン１３２が遊技者により押されたことを検出する。また、精算スイッチ１３４Ｓは、精算ボタン１３４が遊技者により押されたことを検出する。
【００７１】
（周辺装置及び回路）
マイクロコンピュータ６０により動作が制御される周辺装置としては、ステッピングモータ７１Ｌ、７１Ｃ、７１Ｒ、７セグ表示器１１４及びホッパー１５０がある。また、マイクロコンピュータ６０の出力ポートには、各周辺装置の動作を制御するための回路が接続されている。
【００７２】
モータ駆動回路７２は、各リール１２０Ｌ、１２０Ｃ、１２０Ｒに対応して設けられたステッピングモータ７１Ｌ、７１Ｃ、７１Ｒの駆動を制御する。リール位置検出回路７０は、発光部と受光部とを有する光センサにより、リールが一回転したことを示すリールインデックスを各リール１２０Ｌ、１２０Ｃ、１２０Ｒに応じて検出する。
【００７３】
ステッピングモータ７１Ｌ、７１Ｃ、７１Ｒは、運動量がパルスの出力数に比例し、回転軸を指定された角度で停止させることが可能な構成を備えている。ステッピングモータ７１Ｌ、７１Ｃ、７１Ｒの駆動力は、所定の減速比をもったギアを介してリール１２０Ｌ、１２０Ｃ、１２０Ｒに伝達される。ステッピングモータ７１Ｌ、７１Ｃ、７１Ｒに対して１回のパルスが出力されるごとに、リール１２０Ｌ、１２０Ｃ、１２０Ｒは一定の角度で回転する。
【００７４】
メインＣＰＵ６１は、リールインデックスを検出してからステッピングモータ７１Ｌ、７１Ｃ、７１Ｒに対してパルスを出力した回数をカウントすることによって、リール１２０Ｌ、１２０Ｃ、１２０Ｒの回転角度（主に、リールが図柄何個分だけ回転したか）を管理し、リール１２０Ｌ、１２０Ｃ、１２０Ｒの表面に配された各図柄の位置を管理するようにしている。
【００７５】
表示部駆動回路１１５は、７セグ表示器１１４の動作を制御する。また、ホッパー駆動回路１５２は、ホッパー１５０の動作を制御する。また、払出完了信号回路１５３は、ホッパー１５０に設けられたメダル検出部１５１が行うメダルの検出を管理し、ホッパー１５０から外部に排出されたメダルが払出枚数に達したか否かをチェックする。
【００７６】
＜副制御回路＞
図６は、本実施の形態におけるパチスロ１０の副制御回路８０の構成を示す。
【００７７】
副制御回路８０は、主制御回路５０と電気的に接続されており、主制御回路５０から送信されるコマンドに基づいて演出内容の決定や実行等の処理を行う。副制御回路８０は、基本的に、ＣＰＵ（以下、サブＣＰＵ）８１、ＲＯＭ（以下、サブＲＯＭ）８２、ＲＡＭ（以下、サブＲＡＭ）８３、レンダリングプロセッサ８６、描画用ＲＡＭ８４、ドライバ９１、ＤＳＰ（デジタルシグナルプロセッサ）９２、オーディオＲＡＭ９５及びＡ／Ｄ変換器９３及びアンプ９４を含んで構成されている。
【００７８】
サブＣＰＵ８１は、主制御回路５０から送信されたコマンドに応じて、サブＲＯＭ８２に記憶されている制御プログラムに従い、映像、音、光の出力の制御を行う。サブＲＡＭ８３は、決定された演出内容や演出データを登録する格納領域や、主制御回路５０から送信される内部当籤役等の各種データを格納する格納領域が設けられている。サブＲＯＭ８２は、基本的に、プログラム記憶領域とデータ記憶領域によって構成される。
【００７９】
プログラム記憶領域には、サブＣＰＵ８１が実行する制御プログラムが記憶されている。例えば、制御プログラムには、主制御回路５０との通信を制御するための主基板通信タスクや、演出用乱数値を抽出し、演出内容（演出データ）の決定及び登録を行うための演出登録タスク、決定した演出内容に基づいて液晶表示装置２１０による映像の表示を制御する描画制御タスク、ランプ２１２による光の出力を制御するランプ制御タスク、スピーカ２１４による音の出力を制御する音声制御タスク等が含まれる。
【００８０】
データ記憶領域は、各種データテーブルを記憶する記憶領域、各演出内容を構成する演出データを記憶する記憶領域、映像の作成に関するアニメーションデータを記憶する記憶領域、ＢＧＭや効果音に関するサウンドデータを記憶する記憶領域、光の点消灯のパターンに関するランプデータを記憶する記憶領域等が含まれている。
【００８１】
また、副制御回路８０には、その動作が制御される周辺装置として、液晶表示装置２１０、スピーカ２１４及びランプ２１２が接続されている。
【００８２】
サブＣＰＵ８１、レンダリングプロセッサ８６、描画用ＲＡＭ（フレームバッファ８５を含む）８４及びドライバ９１は、演出内容により指定されたアニメーションデータに従って映像を作成し、作成した映像を液晶表示装置により表示する。
【００８３】
また、サブＣＰＵ８１、ＤＳＰ９２、オーディオＲＡＭ９５、Ａ／Ｄ変換器９３及びアンプ９４は、演出内容により指定されたサウンドデータに従ってＢＧＭ等の音をスピーカ２１４により出力する。また、サブＣＰＵ８１は、演出内容により指定されたランプデータに従ってランプ２１２の点灯及び消灯を行う。
【００８４】
サブＣＰＵ８０には、メモリカード読取装置３００が接続されており、メモリカード読取装置３００においてメモリカード３０１から読み取られたデータは、サブＣＰＵ８０に入力される。メモリカード３０１には、特定のタイミングとなった場合に再生されるイベント演出画像のデータ（ムービデータ）と、該イベント演出画像のデータを再生するタイミング（再生日、再生時間帯）を表す再生タイミングデータとが記憶されている。
【００８５】
サブＣＰＵ８０は、メモリカード３０１から読み取られた再生タイミングデータと、サブＣＰＵ８０の内部に設けられた時計機能８１ａによる現在の日付及び時間に基づいて、イベント演出画像の再生タイミングであるか否かを判断して、再生タイミングとなっている場合には、メモリカード３０１から読み取られたイベント演出画像のデータ（ムービデータ）をドライバ９１を介して液晶表示装置２１０に表示する。
【００８６】
これにより、予めメモリカード３０１に記憶されている再生タイミングデータによって表される日付及び時間帯となった場合には、イベント演出画像が液晶表示装置２１０に表示されることなる。この再生されるイベント演出画像は、パチスロの遊技の進行内容とは別のイベントとして表示される画像であり、その再生タイミングは、再生される画像に応じて設定されるタイミングである。例えば、クリスマスにちなんだ画像に対応する再生タイミングは、クリスマスを含む期間であって、再生時間帯は例えば夕方以降の時間帯とする等、イベント演出画像を最も効果的に表示するタイミングが設定されることになる。
【００８７】
［メインＲＯＭに記憶されているデータテーブルの構成］
パチスロ１０が備える回路の構成についての説明は以上である。次に、図６〜図１２を参照して、メインＲＯＭ６２に記憶されている各種データテーブルの構成について説明する。
【００８８】
［図柄配置テーブル］
図７を参照して、図柄配置テーブルについて説明する。図柄配置テーブルは、各リール１２０Ｌ、１２０Ｃ、１２０Ｒの回転方向における各図柄の位置と、各位置に配された図柄の種類を特定するデータ（以下、図柄コード）とを規定している。
【００８９】
図柄配置テーブルは、リールインデックスが検出されるときに表示窓内の中段に存在する図柄の位置を「０」として、リールの回転方向に進む順に、各図柄の位置に対して「０」〜「２０」をそれぞれ割り当てている。したがって、リールインデックスが検出されてから図柄何個分の回転が行われたかを管理しつつ、図柄配置テーブルを参照することによって、主として表示窓の中段に存在する図柄の位置及びその図柄の種類を常に管理することが可能となっている。
【００９０】
［図柄組合せテーブル］
図８を参照して、図柄組合せテーブルについて説明する。本実施の形態では、入賞判定ラインに沿って各リール１２０Ｌ、１２０Ｃ、１２０Ｒにより表示される図柄の組合せが、図柄組合せテーブルにより規定されている図柄の組合せと一致する場合に、入賞と判定され、メダルの払い出し、再遊技の作動、ボーナスゲームの作動といった特典が遊技者に対して与えられる。
【００９１】
図柄組合せテーブルは、特典の種類に応じて予め定められた図柄の組合せと、表示役と、払出枚数とを規定している。表示役は、入賞判定ラインに沿って表示された図柄の組合せを識別するデータである。
【００９２】
表示役は、各ビットに対して固有の図柄の組合せが割り当てられた１バイトのデータとして表される。例えば、各リール１２０Ｌ、１２０Ｃ、１２０Ｒの図柄「ベル」が入賞判定ラインに沿って表示されたとき、表示役として「ベル（００００００１０）」が決定される。
【００９３】
また、払出枚数として１以上の数値が決定された場合、メダルの払い出しが行われる。本実施の形態では、表示役としてチェリー、ベル又はスイカが決定されたときメダルの払い出しが行われる。また、払出枚数は、投入枚数に応じて規定されており、基本的に投入枚数が少ないときの方がより多くの払出枚数が決定される。
【００９４】
また、表示役としてリプレイが決定されたとき、再遊技の作動が行われる。表示役としてＢＢが決定されたとき、ボーナスの作動が行われる。尚、入賞判定ラインに沿って表示された図柄の組合せが、図柄組合せテーブルにより規定されている図柄の組合せの何れとも一致しない場合には、いわゆる「ハズレ」となる。
【００９５】
［ボーナス作動時テーブル］
図９を参照して、ボーナス作動時テーブルについて説明する。ボーナス作動時テーブルは、ボーナスの作動が行われるときに、メインＲＡＭに設けられた各種格納領域に格納するデータを規定している。
【００９６】
作動中フラグは、作動が行われるボーナスの種類を識別するためのデータである。本実施の形態では、ボーナスの種類としてＢＢ（第１種特別役物に係る役物連続作動装置）及びＲＢ（第１種特別役物）を設けている。ＲＢの作動は、ＢＢの作動が行われている間、連続的に行われる。
【００９７】
ＢＢの作動は、規定枚数に達するメダルの払い出しが行われた場合に終了する。ＲＢの作動は、規定回数に達する遊技が行われた場合、規定回数に達する入賞が有った場合、又は、ＢＢの作動が終了した場合の何れかによって終了する。ボーナス終了枚数カウンタ、遊技可能回数カウンタ及び入賞可能回数カウンタは、ボーナスの終了契機となる上記規定枚数或いは上記規定回数に達したか否かを管理するためのデータである。
【００９８】
より具体的には、ボーナス作動時テーブルにより規定されている数値が上記各カウンタに格納され、ボーナスの作動を通じてその減算が行われていく。その結果、各カウンタの値が「０」に更新されたことを条件に該当ボーナスの作動が終了する。
【００９９】
［内部抽籤テーブル］・［内部当籤役決定テーブル］
［内部抽籤テーブル］
図１０及び図１１を参照して、内部抽籤テーブルについて説明する。内部抽籤テーブルは、当籤番号に応じて、データポインタと抽籤値とを規定している。データポインタは、内部抽籤テーブルを参照して行う抽籤の結果として取得されるデータであり、後述の内部当籤役決定テーブルにより規定されている内部当籤役を指定するためのデータである。データポインタには、小役・リプレイ用データポインタ及びボーナス用データポインタが設けられている。
【０１００】
本実施の形態では、予め定められた数値の範囲「０〜６５５３５」から抽出される乱数値を、各当籤番号に応じた抽籤値で順次減算し、減算の結果が負となったか否か（いわゆる「桁かり」が生じたか否か）の判定を行うことによって内部的な抽籤が行われる。
【０１０１】
したがって、抽籤値として規定されている数値が大きいほど、これが割り当てられたデータ（つまり、データポインタ）が決定される確率が高い。尚、各当籤番号の当籤確率は、「各当籤番号に対応する抽籤値／抽出される可能性のある全ての乱数値の個数（６５５３６）」によって表すことができる。
【０１０２】
図１０は、一般遊技状態用内部抽籤テーブルを示す。図１１は、ＲＢ作動中用内部抽籤テーブルを示す。本実施の形態では、ボーナスの作動が行われているか否かといった状況に応じて、複数種類の内部抽籤テーブルを使い分けることにより、決定される内部当籤役の種類や当籤確率を変動させ、この結果、遊技者が抱く期待に起伏が生じるようにしている。
【０１０３】
［内部当籤役決定テーブル］
図１２及び図１３を参照して、内部当籤役決定テーブルについて説明する。内部当籤役決定テーブルは、データポインタに応じて内部当籤役を規定している。データポインタが決定されると、内部当籤役が一義的に取得される構成となっている。
【０１０４】
内部当籤役は、入賞判定ラインに沿って表示を許可する各リール１２０Ｌ、１２０Ｃ、１２０Ｒの図柄の組合せを識別するデータである。内部当籤役は、表示役と同様に、各ビットに対して固有の図柄の組合せが割り当てられた１バイトのデータとして表される。尚、データポインタが「０」のとき、内部当籤役の内容は「ハズレ」となるが、これは前述の図柄組合せテーブルにより規定されている図柄の組合せの表示が何れも許可されないことを示す。
【０１０５】
図１２は、小役・リプレイ用内部当籤役決定テーブルを示す。小役・リプレイ用内部当籤役決定テーブルは、メダルの払い出しに係る内部当籤役又は再遊技の作動に係る内部当籤役を規定している。図１３は、ボーナス用内部当籤役決定テーブルを示す。ボーナス用内部当籤役決定テーブルは、ボーナスの作動に係る内部当籤役を規定している。
【０１０６】
［メインＲＡＭに設けられる格納領域の構成］
メインＲＯＭに記憶されているデータテーブルの内容についての説明は以上である。次に、図１４〜図１６を参照して、メインＲＡＭに設けられている各種格納領域の構成について説明する。
【０１０７】
［内部当籤役格納領域］・［持越役格納領域］
［内部当籤役格納領域］
図１４を参照して、内部当籤役格納領域の構成について説明する。内部当籤役格納領域は、前述の１バイトのデータにより表される内部当籤役を格納する。ビットに「１」が立っているとき、該当する図柄の組合せの表示が許可される。尚、全ビットが「０」であるとき、その内容はハズレとなる。
【０１０８】
尚、メインＲＡＭには、前述の表示役が格納される表示役格納領域が設けられている。表示役格納領域の構成は、内部当籤役格納領域の構成と同様となっている。ビットに「１」が立っているとき、該当する図柄の組合せが入賞判定ラインに沿って表示されたことになる。
【０１０９】
［持越役格納領域］
図１５を参照して、持越役格納領域の構成について説明する。
【０１１０】
前述の抽籤の結果、ボーナスの作動に係る内部当籤役が決定されたときは、これが持越役格納領域に格納される。持越役格納領域に格納されたボーナスの作動に係る内部当籤役（以下、持越役）は、対応する図柄の組合せが入賞判定ラインに表示されるまで、その内容がクリアされずに保持される構成となっている。そして、持越役格納領域に持越役が格納されている間は、前述の抽籤の結果にかかわらず、これが内部当籤役格納領域に格納される。
【０１１１】
［作動中フラグ格納領域］
図１６を参照して、作動中フラグ格納領域の構成について説明する。
【０１１２】
作動中フラグ格納領域は、１バイトからなる作動中フラグを格納する。作動中フラグは、各ビットに対して固有のボーナスが割り当てられている。ビットに「１」が立っているとき、該当するボーナスの作動が行われている。尚、全ビットが「０」であるときの状態を一般遊技状態と定義する。
【０１１３】
［パチスロにおいて実行されるプログラムフロー］
メインＲＡＭ６３（図５）に設けられる各種格納領域の構成についての説明は以上である。次に、図１７〜図２３を参照して、主制御回路５０のメインＣＰＵ６１により実行されるプログラムの内容について説明する。
【０１１４】
［主制御回路のメインＣＰＵの制御によるメインフローチャート］
まず、図１７を参照して、メインＣＰＵ６１の制御によるメインフローチャートについて説明する。パチスロ１０に電源が投入されると、はじめに、メインＣＰＵ６１は、初期化処理を行う（Ｓ１）。次に、メインＣＰＵ６１は、メインＲＡＭ６３における指定格納領域のクリアを行う（Ｓ２）。例えば、内部当籤役格納領域や表示役格納領域等、１回の遊技ごとに消去が必要となる格納領域に格納されたデータがクリアされる。
【０１１５】
次に、メインＣＰＵ６１は、後で図１７を参照して説明するメダル受付・スタートチェック処理を行う（Ｓ３）。この処理では、メダルセンサ３１やスタートスイッチ１１０の入力のチェック等が行われる。
【０１１６】
次に、メインＣＰＵ６１は、乱数値を抽出し、メインＲＡＭ６３に設けられた乱数値格納領域に格納する（Ｓ４）。次に、メインＣＰＵ６１は、後で図１９を参照して説明する内部抽籤処理を行う（Ｓ５）。この処理では、乱数値に基づいた抽籤により内部当籤役の決定が行われる。次に、メインＣＰＵ６１は、スタートコマンドを副制御回路８０に対して送信する（Ｓ６）。スタートコマンドは、内部当籤役等を特定するパラメータを含んで構成される。
【０１１７】
次に、メインＣＰＵ６１は、全リール１２０Ｌ、１２０Ｃ、１２０Ｒの回転開始を要求する（Ｓ７）。尚、全リール１２０Ｌ、１２０Ｃ、１２０Ｒの回転開始が要求されると、一定の周期（１．１１７３ｍｓｅｃ）で実行される割込処理（後述の図２４）によってステッピングモータ７１Ｌ、７１Ｃ、７１Ｒの駆動が制御され、各リール１２０Ｌ、１２０Ｃ、１２０Ｒの回転が開始される。
【０１１８】
次に、メインＣＰＵ６１は、後で図２０を参照して説明するリール停止制御処理を行う（Ｓ８）。この処理では、ストップスイッチ１１２Ｓの入力のチェックが行われ、ストップボタン１１２Ｌ、１１２Ｃ、１１２Ｒが押されたタイミングと内部当籤役とに基づいて該当リールの回転が停止される。また、殴打スイッチ３０１Ｓの入力のチェックが行われ、殴打ボタン３０１が殴打されたタイミングと内部当籤役とに基づいて該当リールの回転が停止される。
【０１１９】
次に、メインＣＰＵ６１は、入賞判定ライン１２６ａ〜１２６ｅに沿って表示された図柄の組合せを検索し、その結果に基づいて払出枚数等を決定する（Ｓ９）。検索の結果、入賞判定ライン１２６ａ〜１２６ｅに沿って表示された図柄の組合せが図柄組合せテーブルにより規定されている図柄の組合せと一致する場合、対応する表示役及び払出枚数が決定される。次に、メインＣＰＵ６１は、表示コマンドを副制御回路８０に対して送信する（Ｓ１０）。表示コマンドは、表示役や払出枚数等を特定するパラメータを含んで構成される。
【０１２０】
次に、メインＣＰＵ６１は、メダル払出処理を行う（Ｓ１１）。決定された払出枚数に基づいて、ホッパー１５０の駆動やクレジット枚数の更新が行われる。次に、メインＣＰＵ６１は、払出枚数に基づいて、ボーナス終了枚数カウンタを更新する（Ｓ１２）。払出枚数として決定された数値がボーナス終了枚数カウンタから減算される。
【０１２１】
次に、メインＣＰＵ６１は、ボーナス作動中フラグがオンであるか否かを判別する（Ｓ１３）。メインＣＰＵは、ボーナス作動中フラグがオンであると判別したときには、後で図２１を参照して説明するボーナス終了チェック処理を行う（Ｓ１４）。ボーナスの終了契機を管理するための各種カウンタを参照して、ボーナスの作動を終了するか否かがチェックされる。
【０１２２】
メインＣＰＵ６１は、Ｓ１４の後、又は、Ｓ１３においてボーナス作動中フラグがオンではないと判別したときには、後で図２０を参照して説明するボーナス作動チェック処理を行う（Ｓ１５）。ボーナスの作動を開始するか否かがチェックされる。この処理が終了すると、Ｓ２に移る。
【０１２３】
［メダル受付・スタートチェック処理］
次に、図１８を参照して、メダル受付・スタートチェック処理について説明する。はじめに、メインＣＰＵ６１は、自動投入カウンタは０であるか否かを判別する（Ｓ３１）。自動投入カウンタは０であると判別したときには、メダル通過許可を行う（Ｓ３２）。セレクタ３１のソレノイドの駆動が行われ、セレクタ３１内のメダルの通過が促される。
【０１２４】
メインＣＰＵ６１は、自動投入カウンタは０ではないと判別したときには、自動投入カウンタを投入枚数カウンタに複写する（Ｓ３３）。次に、メインＣＰＵ６１は、自動投入カウンタをクリアする（Ｓ３４）。Ｓ３３及びＳ３４は再遊技を行うための処理である。
【０１２５】
メインＣＰＵ６１は、Ｓ３２又はＳ３４の後で、投入枚数カウンタの最大値として３をセットする（Ｓ３５）。次に、メインＣＰＵ６１は、ボーナス作動中フラグがオンであるか否かを判別する（Ｓ３６）。メインＣＰＵ６１は、ボーナス作動中フラグがオンであると判別したときには、投入枚数カウンタの最大値を変更する（Ｓ３７）。例えば、最大値が２に変更される。
【０１２６】
メインＣＰＵ６１は、Ｓ３７の後、又は、Ｓ３６においてボーナス作動中フラグがオンではないと判別したときには、メダルの通過は検出されたか否かを判別する（Ｓ３８）。メインＣＰＵ６１は、メダルの通過は検出されたと判別したときには、投入枚数カウンタは最大値に達したか否かを判別する（Ｓ３９）。メインＣＰＵ６１は、投入枚数カウンタは最大値に達していないと判別したときには、投入枚数カウンタを１加算する（Ｓ４０）。次に、メインＣＰＵ６１は、有効ラインカウンタに５を格納する（Ｓ４１）。次に、メインＣＰＵ６１は、メダル投入コマンドを副制御回路に対して送信する（Ｓ４２）。メダル投入コマンドは、投入枚数等を特定するためのパラメータを含んで構成されている。
【０１２７】
メインＣＰＵ６１は、Ｓ３９において投入枚数カウンタは最大値であると判別したときには、クレジットカウンタを１加算する（Ｓ４３）。メインＣＰＵ６１は、Ｓ４３の後、Ｓ４２の後、又は、Ｓ３８においてメダルの通過が検出されていないと判別したときには、ベットスイッチ１３２Ｓのチェックを行う（Ｓ４４）。ベットボタン１３２に対応する数値が投入枚数カウンタに加算される一方でクレジットカウンタから減算される。
【０１２８】
次に、メインＣＰＵ６１は、投入枚数カウンタは最大値に達したか否かを判別する（Ｓ４５）。投入枚数カウンタは最大値に達していないと判別したときには、Ｓ３８に移る一方で、投入枚数カウンタは最大値に達したと判別したときには、スタートスイッチはオンであるか否かを判別する（Ｓ４６）。
【０１２９】
メインＣＰＵは、スタートスイッチはオンではないと判別したときには、Ｓ３８に移る一方で、スタートスイッチはオンであると判別したときには、メダル通過禁止を行う（Ｓ４７）。セレクタのソレノイドの駆動が行われず、メダルの排出が促される。この処理が終了すると、メダル受付・スタートチェック処理を終了する。
【０１３０】
［内部抽籤処理］
次に、図１９を参照して、内部抽籤処理について説明する。はじめに、当籤役決定手段としてのメインＣＰＵ６１は、内部抽籤テーブル及び抽籤回数を決定する（Ｓ７１）。作動中フラグ格納領域が参照され、ボーナスの作動の有無等に応じて、内部抽籤テーブル及び抽籤回数が決定される。尚、抽籤回数は、内部抽籤テーブルにより規定された各当籤番号について、抽籤値の減算及び桁かりが生じたか否かの判定を行う回数を示す。
【０１３１】
次に、メインＣＰＵ６１は、乱数値格納領域に格納されている乱数値を取得し、判定用乱数値としてセットする（Ｓ７２）。次に、メインＣＰＵ６１は、当籤番号の初期値として１をセットする（Ｓ７３）。
【０１３２】
次に、メインＣＰＵ６１は、内部抽籤テーブルを参照し、当籤番号に対応する抽籤値を取得する（Ｓ７４）。次に、メインＣＰＵ６１は、判定用乱数値から抽籤値を減算する（Ｓ７５）。次に、メインＣＰＵ６１は、桁かりが行われたか否かを判別する（Ｓ７６）。メインＣＰＵ６１は、桁かりが行われていないと判別したときには、抽籤回数を１減算し、当籤番号を１加算する（Ｓ７７）。
【０１３３】
次に、メインＣＰＵ６１は、抽籤回数は０であるか否かを判別する（Ｓ７８）。メインＣＰＵ６１は、抽籤回数は０ではないと判別したときには、Ｓ６４に移る一方で、抽籤回数は０であると判別したときには、小役・リプレイ用データポインタとして０をセットし、ボーナス用データポインタとして０をセットする（Ｓ７９）。
【０１３４】
メインＣＰＵ６１は、Ｓ６６において桁かりが行われたと判別したときには、現在の当籤番号に応じて、小役・リプレイ用データポインタ及びボーナス用データポインタを取得する（Ｓ８０）。メインＣＰＵ６１は、Ｓ７０又はＳ６９の後で、小役・リプレイ用内部当籤役決定テーブルを参照し、小役・リプレイ用データポインタに基づいて内部当籤役を取得する（Ｓ８１）。
【０１３５】
次に、メインＣＰＵ６１は、取得した内部当籤役を内部当籤役格納領域に格納する（Ｓ８２）。次に、メインＣＰＵ６１は、持越役格納領域に格納されているデータは０であるか否かを判別する（Ｓ８３）。メインＣＰＵ６１は、持越役格納領域に格納されているデータは０であると判別したときは、ボーナス用内部当籤役決定テーブルを参照し、ボーナス用データポインタに基づいて内部当籤役を取得する（Ｓ８４）。次に、メインＣＰＵ６１は、取得した内部当籤役を持越役格納領域に格納する（Ｓ８５）。
【０１３６】
メインＣＰＵ６１は、Ｓ８５の後、又は、Ｓ８３において持越役格納領域に格納されているデータは０ではないと判別したときには、持越役格納領域と内部当籤役格納領域との論理和をとり、その結果を内部当籤役格納領域に格納する（Ｓ８６）。つまり、ボーナスの作動に係る内部当籤役の持ち越しが行われる。この処理が終了すると、内部抽籤処理を終了する。
【０１３７】
［リール停止制御処理］
次に、図２０を参照して、リール停止制御処理について説明する。はじめに、停止制御手段としてのメインＣＰＵ６１は、有効なストップボタン１１２Ｌ、１１２Ｃ、１１２Ｒが押されたか否かを判別する（Ｓ１０１）。メインＣＰＵ６１は、有効なストップボタン１１２Ｌ、１１２Ｃ、１１２Ｒが押されていないと判別したときには、これが押されるまで待機する。
【０１３８】
メインＣＰＵ６１は、有効なストップボタン１１２Ｌ、１１２Ｃ、１１２Ｒが押されたと判別したときには、該当ストップボタンの操作を無効化する（Ｓ１０２）。各ストップボタン１１２Ｌ、１１２Ｃ、１１２Ｒの有効及び無効の状態は、メインＲＡＭ６３に設けられた所定の格納領域において管理される。
【０１３９】
次に、メインＣＰＵ６１は、チェック回数として５をセットする（Ｓ１０３）。本実施の形態では、滑り駒数の最大数を「４」としていることから、ストップボタン１１２Ｌ、１１２Ｃ、１１２Ｒが押されたときに該当表示窓の中段にある図柄の位置を含め、そこから４個先の図柄の位置までがチェックの対象となる。つまり、「０」、「１」、「２」、「３」及び「４」の５つの数値の何れかが滑り駒数として決定される。
【０１４０】
次に、メインＣＰＵ６１は、内部当籤役に基づいて、ストップボタン１１２Ｌ、１１２Ｃ、１１２Ｒが押されたときに該当表示窓の中段にある図柄の位置（以下、停止開始位置）を含めたチェック回数の範囲内にある各図柄の位置の中で、最も優先順位の高い図柄の位置を検索する（Ｓ１０４）。この処理では、内部当籤役によって表示が許可されている図柄の組合せを、入賞判定ライン沿って表示することが可能となる図柄の位置が、最も優先順位の高い図柄の位置として決定される。
【０１４１】
次に、メインＣＰＵ６１は、検索の結果に基づいて滑り駒数を決定する（Ｓ１０５）。停止開始位置から上記最も優先順位の高い図柄の位置までの図柄の個数が滑り駒数として決定される。次に、メインＣＰＵ６１は、停止予定位置待ちへ移行する（Ｓ１０６）。停止予定位置待ちへ移行すると、後述の割込処理によってステッピングモータの駆動が制御され、最も優先順位の高い図柄の位置が該当表示窓の中段に到達するのを待って該当リール１２０Ｌ、１２０Ｃ、１２０Ｒの回転が停止される。
【０１４２】
次に、メインＣＰＵ６１は、リール停止コマンドを副制御回路８０に対して送信する（Ｓ１０７）。リール停止コマンドは、停止したリールの種別等を特定するパラメータを含んで構成されている。
【０１４３】
次に、メインＣＰＵ６１は、操作が有効なストップボタン１１２Ｌ、１１２Ｃ、１１２Ｒがあるか否かを判別する（Ｓ１０８）。つまり、まだ回転中のリールがあるか否かが判別される。メインＣＰＵ６１は、操作が有効なストップボタン１１２Ｌ、１１２Ｃ、１１２Ｒがあると判別したときには、Ｓ１０１に移る一方で、操作が有効なストップボタン１１２Ｌ、１１２Ｃ、１１２Ｒがないと判別したときには、リール停止制御処理を終了する。
【０１４４】
［ボーナス作動チェック処理］
次に、図２１を参照して、ボーナス作動チェック処理について説明する。はじめに、メインＣＰＵ６１は、表示役はＢＢであるか否かを判別する（Ｓ１２１）。メインＣＰＵ６１は、表示役はＢＢであると判別したときには、ボーナス作動時テーブルを参照し、ＢＢ作動時処理を行う（Ｓ１２２）。この処理では、ＢＢ作動中フラグがオンにされ、ボーナス終了枚数カウンタに所定値がセットされる。
【０１４５】
次に、メインＣＰＵ６１は、持越役格納領域をクリアする（Ｓ１２３）。次に、メインＣＰＵ６１は、ボーナス開始コマンドを副制御回路に対して送信する（Ｓ１２４）。この処理が終了すると、ボーナス作動チェック処理を終了する。
【０１４６】
メインＣＰＵ６１は、Ｓ１２１において表示役はＢＢではないと判別したときには、表示役はリプレイであるか否かを判別する（Ｓ１２５）。メインＣＰＵ６１は、表示役はリプレイであると判別したときには、投入枚数カウンタの値を自動投入カウンタに複写する（Ｓ１２６）。
【０１４７】
メインＣＰＵ６１は、Ｓ１２５において表示役はリプレイではないと判別したときには、ＢＢ作動中フラグはオンであるか否かを判別する（Ｓ１２７）。メインＣＰＵ６１は、ＢＢ作動中フラグはオンではないと判別したときには、ボーナス作動チェック処理を終了する一方で、ＢＢ作動中フラグはオンであると判別したときには、ＲＢ作動中フラグはオンであるか否かを判別する（Ｓ１２８）。
【０１４８】
メインＣＰＵ６１は、ＲＢ作動中フラグはオンであると判別したときには、ボーナス作動チェック処理を終了する一方で、ＲＢ作動中フラグはオンではないと判別したときには、ボーナス作動時テーブルを参照し、ＲＢ作動時処理を行う（Ｓ１２９）。この処理では、ＲＢ作動中フラグがオンにされ、入賞可能回数カウンタ及び遊技可能回数カウンタに所定値がセットされる。この処理が終了すると、ボーナス作動チェック処理を終了する。
【０１４９】
［ボーナス終了チェック処理］
次に、図２２を参照して、ボーナス終了チェック処理について説明する。はじめに、メインＣＰＵ６１は、ボーナス終了枚数カウンタは０であるか否かを判別する（Ｓ１４１）。メインＣＰＵ６１は、ボーナス終了枚数カウンタは０であると判別したときには、ＢＢ終了時処理を行う（Ｓ１４２）。この処理では、ＢＢ作動中フラグ及びＲＢ作動中フラグがオフされ、ボーナスの終了契機を管理するための各種カウンタがクリアされる。次に、メインＣＰＵ６１は、ボーナス終了コマンドを副制御回路に対して送信する（Ｓ１４３）。この処理が終了すると、ボーナス終了チェック処理を終了する。
【０１５０】
メインＣＰＵ６１は、Ｓ１４１においてボーナス終了枚数カウンタは０ではないと判別したときには、入賞可能回数カウンタ又は遊技可能回数カウンタを更新する（Ｓ１４４）。遊技可能回数カウンタが１減算され、また、入賞が有った場合に入賞可能回数カウンタが１減算される。次に、メインＣＰＵ６１は、入賞可能回数カウンタ又は遊技可能回数カウンタは０であるか否かを判別する（Ｓ１４５）。
【０１５１】
メインＣＰＵ６１は、入賞可能回数カウンタ又は遊技可能回数カウンタは０ではないと判別したときには、ボーナス終了チェック処理を終了する一方で、入賞可能回数カウンタ又は遊技可能回数カウンタは０であると判別したときには、ＲＢ終了時処理を行う（Ｓ１４６）。この処理では、ＲＢ作動中フラグがオフされ、入賞可能回数カウンタ及び遊技可能回数カウンタがクリアされる。この処理が終了すると、ボーナス終了チェック処理を終了する。
【０１５２】
［メインＣＰＵの制御による割込処理（１．１１７３ｍｓｅｃ）］
次に、図２３を参照して、メインＣＰＵ６１の制御による割込処理（１．１１７３ｍｓｅｃ）について説明する。はじめに、メインＣＰＵ６１は、レジスタの退避を行う（Ｓ１６１）。次に、メインＣＰＵ６１は、入力ポートチェック処理を行う（Ｓ１６２）。この処理では、ストップスイッチ等の各種スイッチから入力される信号がチェックされる。
【０１５３】
次に、メインＣＰＵ６１は、リール制御処理を行う（Ｓ１６３）。この処理では、全リール１２０Ｌ、１２０Ｃ、１２０Ｒの回転開始が要求されたときに、各リールの回転を開始し、その後一定速度での回転を行うよう、ステッピングモータ７１Ｌ、７１Ｃ、７１Ｒの駆動が制御される。また、滑り駒数が決定されたときは、該当リールの回転が滑り駒数分継続するのを待ってその回転の減速及び停止を行うよう、ステッピングモータ７１Ｌ、７１Ｃ、７１Ｒの駆動が制御される。
【０１５４】
次に、メインＣＰＵ６１は、ランプ・７セグ駆動処理を行う（Ｓ１６４）。次に、メインＣＰＵ６１は、レジスタの復帰を行う（Ｓ１６５）。この処理が終了すると、割込処理を終了する。
【０１５５】
［副制御回路のサブＣＰＵによって実行されるプログラムフロー］
主制御回路５０のメインＣＰＵ６１により実行されるプログラムの内容についての説明は以上である。次に、図２４〜図２６を参照して、副制御回路８０のサブＣＰＵ８１により実行されるプログラムの内容について説明する。
【０１５６】
［主基板通信タスク］
図２４を参照して、サブＣＰＵ８１により行われる主基板通信タスクについて説明する。はじめに、サブＣＰＵ８１は、主制御回路から送信されたコマンドの受信チェックを行う（Ｓ３０１）。次に、サブＣＰＵ８１は、コマンドを受信した場合、そのコマンドの種別を抽出する（Ｓ３０２）。
【０１５７】
次に、サブＣＰＵ８１は、前回とは異なるコマンドを受信したか否かを判別する（Ｓ３０３）。サブＣＰＵ８１は、前回とは異なるコマンドを受信しなかったと判別したときには、Ｓ３０１に移る一方で、前回とは異なるコマンドを受信したと判別したときには、メッセージキューに格納し（Ｓ３０４）、Ｓ３０１に移る。
【０１５８】
［演出登録タスク］
次に、図２５を参照して、サブＣＰＵ８１により行われる演出登録タスクについて説明する。はじめに、サブＣＰＵ８１は、メッセージキューからメッセージを取り出す（Ｓ３１１）。次に、サブＣＰＵ８１は、メッセージは有るか否かを判別する（Ｓ３１２）。サブＣＰＵ８１は、メッセージは有ると判別したときには、メッセージから遊技情報を複写する（Ｓ３１３）。例えば、パラメータによって特定される、内部当籤役、回転が停止したリールの種別、表示役、作動中フラグ等といった各種データがサブＲＡＭに設けられた格納領域に複写される。
【０１５９】
次に、サブＣＰＵ８１は、後で図２６を参照して説明する演出内容決定処理を行う（Ｓ３１４）。この処理では、受信したコマンドの種別に応じて、演出内容の決定や演出データの登録等が行われる。
【０１６０】
サブＣＰＵ８１は、Ｓ３１４の後、又は、Ｓ３１２においてメッセージは無かったと判別したときには、アニメーションデータの登録を行う（Ｓ３１５）。次に、サブＣＰＵ８１は、サウンドデータの登録を行う（Ｓ３１６）。次に、サブＣＰＵ８１は、ランプデータの登録を行う（Ｓ３１７）。アニメーションデータの登録、サウンドデータの登録及びランプデータの登録は、演出内容決定処理において登録された演出データに基づいて行われる。この処理が終了すると、Ｓ３１１に移る。
【０１６１】
［演出内容決定処理］
次に、図２６を参照して、演出内容決定手段としてのサブＣＰＵ８１により実行される演出内容決定処理のフローチャートについて説明する。はじめに、サブＣＰＵ８１は、スタートコマンド受信時であるか否かを判別する（Ｓ３２１）。サブＣＰＵ８１は、スタートコマンド受信時であると判別したときには、演出用乱数値を抽出し、内部当籤役等に基づいて演出番号を抽籤により決定し、登録する（Ｓ３２２）。演出番号は、今回において実行する演出内容を指定するデータである。
【０１６２】
次に、サブＣＰＵ８１は、登録されている演出番号に基づいて、スタート時の演出データを登録する（Ｓ３２３）。演出データは、アニメーションデータ、サウンドデータ及びランプデータを指定するデータである。演出データが登録されると、対応するアニメーションデータ等が決定され、映像の表示等の演出が実行される。この処理が終了すると、演出内容決定処理を終了する。
【０１６３】
次に、サブＣＰＵ８１は、スタートコマンド受信時ではないと判別したときには、リール停止コマンド受信時であるか否かを判別する（Ｓ３２４）。サブＣＰＵ８１は、リール停止コマンド受信時であると判別したときには、登録されている演出番号とストップボタンの種別に基づいて、停止時の演出データを登録する（Ｓ３２５）。この処理が終了すると、演出内容決定処理を終了する。
【０１６４】
次に、サブＣＰＵ８１は、リール停止コマンド受信時ではないと判別したときには、表示コマンド受信時であるか否かを判別する（Ｓ３２６）。サブＣＰＵ８１は、表示コマンド受信時であると判別したときには、登録されている演出番号に基づいて、表示時の演出データを登録する（Ｓ３２７）。この処理が終了すると、演出内容決定処理を終了する。
【０１６５】
次に、サブＣＰＵ８１は、表示コマンド受信時ではないと判別したときには、ボーナス開始コマンド受信時であるか否かを判別する（Ｓ３２８）。サブＣＰＵ８１は、ボーナス開始コマンド受信時であると判別したときには、ボーナス開始用の演出データを登録する（Ｓ３２９）。この処理が終了すると、演出内容決定処理を終了する。
【０１６６】
次に、サブＣＰＵ８１は、ボーナス開始コマンド受信時ではないと判別したときには、ボーナス終了コマンド受信時であるか否かを判別する（Ｓ３３０）。サブＣＰＵ８１は、ボーナス終了コマンド受信時ではないと判別したときには、演出内容決定処理を終了する一方で、ボーナス終了コマンド受信時であると判別したときには、ボーナス終了用の演出データを登録する（Ｓ３３１）。この処理が終了すると、演出内容決定処理を終了する。
【０１６７】
[他の実施の形態]
なお、上述の実施の形態においては、フロントドア３０の左側縁部３０Ａにおいて、ヒンジの扉側支持部（連結平板３５１）の一部にシールドフィンガー４００を設ける場合について述べたが、これに限られるものではなく、例えば、図２７に示すように、フロントドア３０の左側縁部３０Ａに沿う領域の全体に亘って設けるようにしてもよい。このようにすれば、前面扉のヒンジによる回動支点側の縁部に全体に沿ってシールドフィンガーが設けられていることにより、前面扉を閉じた状態においては、前面扉の前記縁部と、これに対向する筐体側の縁部との間には、縁部全体に亘ってシールドフィンガーが配置されることとなり、十分なアース効果を得ることができると共に、前面扉側の該縁部と、筐体側の該縁部との間に隙間が形成されることを防止して、例えば針金等を隙間に挿入することによる不正を未然に防止することができる。
【０１６８】
また、上述の実施の形態においては、フロントドア３０の左側縁部３０Ａにおいてのみシールドフィンガー４００を設ける場合について述べたが、これに限られるものではなく、例えば、図２８に示すように、フロントドア３０の回動支点側（左側縁部３０Ａ側）に加えて、回動自由端側（右側縁部３０Ｂ側）においても設けるようにしてもよい。このようにすれば、回動支点側の縁部に加えて、回動自由端側の縁部にもシールドフィンガーを設けることにより、さらなるアース効果を得ることができると共に、回動自由端側からの針金等の挿入による不正を未然に防止することができる。因みに、この場合には、キャビネット２０において、フロントドア３０の回動自由端側に設けられたシールドフィンガーに接する部位にアース接続された金属部材を配置するようにする。
【０１６９】
また、上述の実施の形態においては、フロントドア３０側にシールドフィンガー４００を設ける場合について述べたが、これに限られるものではなく、キャビネット２０側に設けるようにしてもよい。この場合、キャビネット２０の開口部の左側縁部２０Ａにシールドフィンガー４００を設ける構成、キャビネット２０の開口部の右側縁部２０Ｂにシールドフィンガー４００を設ける構成、又はキャビネット２０の開口部の左側縁部２０Ａ及び右側縁部２０Ｂの両方にシールドフィンガー４００を設ける構成とすることができる。この場合、キャビネット２０側に設けられたシールドフィンガー４００を、キャビネット２０又はキャビネット２０の構成部品を介してアース接続することにより、フロントドア３０が閉じられた状態において、該フロントドア３０をアース接続することが可能となる。
【０１７０】
また、上述の実施の形態においては、フロントドア３０の左側縁部３０Ａ、右側縁部２０Ｂ、キャビネット２０の左側縁部２０Ａ、右側縁部２０Ｂの少なくともいずれかにシールドフィンガー４００を設ける場合について述べたが、これに限られるものではなく、例えば、図３に示すように、フロントドア３０の上側縁部３０Ｃ、下側縁部３０Ｄ、キャビネット２０の上側縁部２０Ｃ、下側縁部２０Ｄのいずれかに設けるようにしてもよい。フロントドア３０側にシールドフィンガー４００を設ける場合には、キャビネット２０側において、シールドフィンガー４００に接する部位にアース接続された金属部材を配置することにより、フロントドア３０が閉じられた状態で該フロントドア３０をアースに接続することができる。また、キャビネット２０側にシールドフィンガー４００を設ける場合には、キャビネット２０側において、シールドフィンガー４００をアース接続するようにすればよい。この場合、キャビネット側のシールドフィンガー４００を、キャビネット２０又はキャビネット２０の構成部品を介してアース接続する構成、若しくは直接アース接続する構成とすることができる。
【０１７１】
また、上述の実施の形態においては、シールドフィンガー４００をパチスロ１０に用いる場合について述べたが、これに限られるものではなく、パチンコ遊技機においても用いることができる。
【０１７２】
（パチスロの概要）
本実施の形態におけるパチスロ１０は、複数の図柄を表示する図柄表示手段（リール１２０Ｌ、１２０Ｃ、１２０Ｒ）と、図柄表示手段により表示されている複数の図柄を変動させる図柄変動手段（主制御回路５０）と、図柄の変動の停止制御を行う停止制御手段（主制御回路５０）と、図柄表示手段、図柄変動手段及び停止制御手段を収容する箱型の筐体（キャビネット２０）と、筐体に対してヒンジ３０１、３３１、３１１、３４１を介して回動可能に支持され、筐体の前面部に設けられた開口を開閉する前面扉（フロントドア３０）と、前面扉のヒンジによる回動支点側の縁部（左側縁部３０Ａ）に沿って扉側に設けられたヒンジの扉側支持部（連結平板３５１）と、筐体のヒンジによる回動支点側の縁部に沿って筐体側に設けられたヒンジの筐体側支持部（連結平板３２１）とが、前面扉が閉じられた状態において近接する位置に設けられ、前面扉が閉じられた状態でヒンジの扉側支持部と筐体側支持部とを電気的に接続するシールドフィンガー４００と、を備え、前面扉には、図柄表示手段、図柄変動手段及び停止制御手段を構成する電子機器の少なくとも一部が設けられており、前面扉は、シールドフィンガー及び筐体を介して接地されていることを特徴としている。
【０１７３】
上記構成によれば、筐体と前面扉との間をシールドフィンガーによって電気的に接続するように構成されていることにより、筐体から前面扉を取り外す際に、従来のように、筐体と前面扉とをアース線でねじ止めした構成に比べて、アース線を外すといった煩雑な作業を行うことなく容易に前面扉の取り外し作業を行うことができる。
【０１７４】
また、本実施の形態におけるパチスロ１０は、上記の構成に加えて、シールドフィンガー４００は、ヒンジ３０１、３３１、３１１、３４１の扉側支持部（連結平板３５１）に設けられていることを特徴としている。
【０１７５】
上記構成によれば、ヒンジの扉側支持部にシールドフィンガーが設けられていることにより、筐体側に取り付けられている場合に比べて、シールドフィンガーの取り付け作業が容易になる。
【０１７６】
また、本実施の形態におけるパチスロ１０は、上記の構成に加えて、シールドフィンガー４００は、前面扉３０の縁部（左側縁部３０Ａ）の全体に沿って設けられていることを特徴としている。
【０１７７】
上記構成によれば、前面扉のヒンジによる回動支点側の縁部に全体に沿ってシールドフィンガーが設けられていることにより、前面扉を閉じた状態においては、前面扉の前記縁部と、これに対向する筐体側の縁部との間には、縁部全体に亘ってシールドフィンガーが配置されることとなり、十分なアース効果を得ることができると共に、前面扉側の該縁部と、筐体側の該縁部との間に隙間が形成されることを防止して、例えば針金等を隙間に挿入することによる不正を未然に防止することができる。
【０１７８】
また、本実施の形態におけるパチスロ１０は、上記の構成に加えて、シールドフィンガー４００は、ヒンジ３０１、３３１、３１１、３４１による回動自由端側の縁部（右側縁部３０Ｂ）に設けられていることを特徴としている。
【０１７９】
上記構成によれば、回動支点側の縁部に加えて、回動自由端側の縁部にもシールドフィンガーを設けることにより、さらなるアース効果を得ることができると共に、回動自由端側からの針金等の挿入による不正を未然に防止することができる。
【０１８０】
また、本実施の形態におけるパチスロ１０は、上記構成に加えて、シールドフィンガー４００に接するヒンジ３０１、３３１、３１１、３４１の筐体側支持部（連結平板３２１）の表面は、シールドフィンガーの表面を研磨する粗面３２３を有することを特徴としている。
【０１８１】
上記構成によれば、シールドフィンガーが接する筐体側支持部の表面が粗面となっていることにより、前面扉を開閉するごとにシールドフィンガーの表面（導電部分）が研磨されて、該表面の酸化によるアース効果の低下を防止することができる。これにより、前面扉と筐体との間において、常に安定したアース効果を得ることができる。
【図面の簡単な説明】
【０１８２】
【図１】パチスロの機能フローを示す図である。
【図２】パチスロの外観を示す斜視図である。
【図３】パチスロの内部を示す斜視図である。
【図４】パチスロのフロントドアとキャビネットとの間の開閉状態を示す横断面図である。
【図５】パチスロの回路構成を示すブロック図である。
【図６】パチスロの副制御回路の構成を示すブロック図である。
【図７】パチスロの図柄配置テーブルを示す図である。
【図８】パチスロの図柄組合せテーブルを示す図である。
【図９】パチスロのボーナス作動時テーブルを示す図である。
【図１０】パチスロの内部抽籤テーブルを示す図である。
【図１１】パチスロの内部抽籤テーブルを示す図である。
【図１２】パチスロの内部当籤役決定テーブルを示す図である。
【図１３】パチスロの内部当籤役決定テーブルを示す図である。
【図１４】メインＲＡＭの内部当籤役格納領域を示す図である。
【図１５】メインＲＡＭの持越役格納領域を示す図である。
【図１６】メインＲＡＭの作動中フラグ格納領域を示す図である。
【図１７】メインＣＰＵによるメインフローチャートを示す図である。
【図１８】メインＣＰＵによるメダル受付・スタートチェック処理のフローチャートを示す図である。
【図１９】メインＣＰＵによる内部抽籤処理のフローチャートを示す図である。
【図２０】メインＣＰＵによるリール停止制御処理のフローチャートを示す図である。
【図２１】メインＣＰＵによるボーナス作動チェック処理のフローチャートを示す図である。
【図２２】メインＣＰＵによるボーナス終了チェック処理のフローチャートを示す図である。
【図２３】メインＣＰＵの制御による割込処理のフローチャートを示す図である。
【図２４】サブＣＰＵによる主基板通信タスクのフローチャートを示す図である。
【図２５】サブＣＰＵによる演出登録タスクのフローチャートを示す図である。
【図２６】サブＣＰＵによる演出内容決定処理のフローチャートを示す図である。
【図２７】他の実施の形態のシールドフィンガーの取り付け状態を示す斜視図である。
【図２８】他の実施の形態のシールドフィンガーの取り付け状態を示す斜視図である。
【符号の説明】
【０１８３】
１０  パチスロ
２０  キャビネット
３０  フロントドア
５０  主制御回路
６０  マイクロコンピュータ
６１  メインＣＰＵ
６２  メインＲＯＭ
６３  メインＲＡＭ
８０  副制御回路
８１  サブＣＰＵ
８２  サブＲＯＭ
８３  サブＲＡＭ
１１０  スタートレバー
１１０Ｓ  スタートスイッチ
１１２Ｌ、１１２Ｃ、１１２Ｒ  ストップボタン
１１２Ｓ  ストップスイッチ
１２０Ｌ、１２０Ｃ、１２０Ｒ  リール
１２２Ｌ、１２２Ｃ、１２２Ｒ  表示窓
２１０  液晶表示装置
３０１、３１１  筐体側ヒンジ
３２１、３５１  連結平板
３３１、３４１  扉側ヒンジ
４００  シールドフィンガー
【図１】
2010005076.tif 000003
【図２】
2010005076.tif 000004
【図３】
2010005076.tif 000005
【図４】
2010005076.tif 000006
【図５】
2010005076.tif 000007
【図６】
2010005076.tif 000008
【図７】
2010005076.tif 000009
【図８】
2010005076.tif 000010
【図９】
2010005076.tif 000011
【図１０】
2010005076.tif 000012
【図１１】
2010005076.tif 000013
【図１２】
2010005076.tif 000014
【図１３】
2010005076.tif 000015
【図１４】
2010005076.tif 000016
【図１５】
2010005076.tif 000017
【図１６】
2010005076.tif 000018
【図１７】
2010005076.tif 000019
【図１８】
2010005076.tif 000020
【図１９】
2010005076.tif 000021
【図２０】
2010005076.tif 000022
【図２１】
2010005076.tif 000023
【図２２】
2010005076.tif 000024
【図２３】
2010005076.tif 000025
【図２４】
2010005076.tif 000026
【図２５】
2010005076.tif 000027
【図２６】
2010005076.tif 000028
【図２７】
2010005076.tif 000029
【図２８】
2010005076.tif 000030